(57)【要約】【課題】デジタル放送の視聴に基づく情報を正確かつ迅速に他のユーザーに伝達することが可能な携帯型端末装置等を提供すること。【解決手段】携帯型端末装置が、デジタル放送提供装置３０から受信したデジタル情報に基づき、デジタル放送を再生する再生部１４０と、ユーザーによる他のユーザーに前記デジタル放送の視聴を促す操作に基づいて操作情報を生成する操作部１５０と、前記操作情報と、前記デジタル情報とに基づき、前記他のユーザーに前記デジタル放送の視聴を促す視聴促進情報を生成する端末側情報生成部１２０と、前記デジタル情報を受信するとともに、前記視聴促進情報を前記他のユーザーの携帯型端末装置へ向け送信する端末側通信部１１０とを含んで構成される。【選択図】図２
2007195119.tif 000002
【特許請求の範囲】
【請求項１】
デジタル放送提供装置から受信したデジタル情報に基づき、デジタル放送を再生する再生部と、
ユーザーによる他のユーザーに前記デジタル放送の視聴を促す操作に基づいて操作情報を生成する操作部と、
前記操作情報と、前記デジタル情報とに基づき、前記他のユーザーに前記デジタル放送の視聴を促す視聴促進情報を生成する端末側情報生成部と、
前記デジタル情報を受信するとともに、前記視聴促進情報を前記他のユーザーの携帯型端末装置へ向け送信する端末側通信部と、
を含むことを特徴とする携帯型端末装置。
【請求項２】
請求項１において、
前記端末側情報生成部は、前記デジタル情報に基づき、前記デジタル放送の画像情報を含む前記視聴促進情報を生成することを特徴とする携帯型端末装置。
【請求項３】
請求項１、２のいずれかにおいて、
前記操作部は、ユーザーの操作に基づくコメントを示すコメント情報を生成し、
前記端末側情報生成部は、前記コメント情報を含む前記視聴促進情報を生成することを特徴とする携帯型端末装置。
【請求項４】
請求項１〜３のいずれかにおいて、
前記操作部は、前記デジタル放送の画像における選択操作に基づき、前記操作情報を生成することを特徴とする携帯型端末装置。
【請求項５】
請求項１〜４のいずれかにおいて、
前記端末側通信部は、ユーザーごとのポイントを管理する情報提供装置へ向け前記視聴促進情報を送信するとともに、前記情報提供装置から前記ポイントに応じた特典を得るための特典情報を受信することを特徴とする携帯型端末装置。
【請求項６】
請求項１〜５のいずれかにおいて、
前記端末側情報生成部は、カテゴリーごとにメールアドレスが登録されたメールアドレスデータに基づき、前記デジタル放送のカテゴリーに該当するメールアドレスを宛先とする電子メールを前記視聴促進情報として生成することを特徴とする携帯型端末装置。
【請求項７】
再生部と、操作部と、端末側通信部とを含む携帯型端末装置の有するコンピュータを、
デジタル放送提供装置から受信したデジタル情報に基づき、デジタル放送を前記再生部に再生させる端末側再生制御部と、
ユーザーによる前記操作部を用いた他のユーザーに前記デジタル放送の視聴を促す操作に基づいて操作情報を生成する操作情報生成部と、
前記操作情報と、前記デジタル情報とに基づき、前記他のユーザーに前記デジタル放送の視聴を促す視聴促進情報を生成する端末側情報生成部と、
前記端末側通信部に、前記デジタル情報を受信させるとともに、前記視聴促進情報を前記他のユーザーの携帯型端末装置へ向け送信させる端末側通信制御部として機能させることを特徴とするプログラム。
【請求項８】
請求項７に記載のプログラムを記憶した、コンピュータ読み取り可能な情報記憶媒体。
【発明の詳細な説明】
【技術分野】
【０００１】
本発明は、デジタル放送に基づく情報を送信するための携帯型端末装置、プログラムおよび情報記憶媒体に関する。
【背景技術】
【０００２】
デジタルテレビ放送の視聴に応じて視聴者にポイントを付与するシステムが実現されている。
【０００３】
例えば、特許文献１では、視聴者がデジタルテレビ放送を視聴し、かつ、ボタンを押した際に視聴者にポイントを付与し、当該ポイントに応じて特典を付与するポイント蓄積システムが提案されている。また、特許文献１のポイント蓄積システムは、テレビでの使用が前提とされている。
【特許文献１】特開２００３−９１２９号公報
【発明の開示】
【発明が解決しようとする課題】
【０００４】
一方、近年、１セグ放送(1 Segment Broadcasting)等のデジタル放送を携帯電話で再生することが可能になっている。また、携帯電話では他の携帯電話に情報を送信することも可能である。
【０００５】
例えば、携帯電話のユーザーは、自分の好きなアーティストがテレビに出演した場合、当該事項を当該アーティストを好きな他のユーザーに告知するためには、一般的に、電話や電子メールを用いる。
【０００６】
しかし、電話では同時に多数のユーザーに告知することが困難であり、電子メールでは作成に時間がかかり、告知に時間がかかってしまう。
【０００７】
本発明の目的は、デジタル放送の視聴に基づく情報を正確かつ迅速に他のユーザーに伝達することが可能な携帯型端末装置、プログラムおよび情報記憶媒体を提供することにある。
【課題を解決するための手段】
【０００８】
上記課題を解決するため、本発明に係る携帯型端末装置は、デジタル放送提供装置から受信したデジタル情報に基づき、デジタル放送を再生する再生部と、
ユーザーによる他のユーザーに前記デジタル放送の視聴を促す操作に基づいて操作情報を生成する操作部と、
前記操作情報と、前記デジタル情報とに基づき、前記他のユーザーに前記デジタル放送の視聴を促す視聴促進情報を生成する端末側情報生成部と、
前記デジタル情報を受信するとともに、前記視聴促進情報を前記他のユーザーの携帯型端末装置へ向け送信する端末側通信部と、
を含むことを特徴とする。
【０００９】
また、本発明に係るプログラムは、再生部と、操作部と、端末側通信部とを含む携帯型端末装置の有するコンピュータを、
デジタル放送提供装置から受信したデジタル情報に基づき、デジタル放送を前記再生部に再生させる端末側再生制御部と、
ユーザーによる前記操作部を用いた他のユーザーに前記デジタル放送の視聴を促す操作に基づいて操作情報を生成する操作情報生成部と、
前記操作情報と、前記デジタル情報とに基づき、前記他のユーザーに前記デジタル放送の視聴を促す視聴促進情報を生成する端末側情報生成部と、
前記端末側通信部に、前記デジタル情報を受信させるとともに、前記視聴促進情報を前記他のユーザーの携帯型端末装置へ向け送信させる端末側通信制御部として機能させることを特徴とする。
【００１０】
また、本発明に係る情報記憶媒体は、上記プログラムを記憶したことを特徴とする。
【００１１】
本発明によれば、携帯型端末装置等は、操作情報とデジタル情報を用いることにより、デジタル放送の視聴に基づく情報を正確かつ迅速に他のユーザーに伝達することができる。
【００１２】
また、前記携帯型端末装置、前記プログラムおよび前記情報記憶媒体において、
前記端末側情報生成部は、前記デジタル情報に基づき、前記デジタル放送の画像情報を含む前記視聴促進情報を生成してもよい。
【００１３】
これによれば、携帯型端末装置等は、画像情報を用いることにより、デジタル放送の視聴に基づく情報をより正確に他のユーザーに伝達することができる。
【００１４】
また、前記携帯型端末装置、前記プログラムおよび前記情報記憶媒体において、
前記操作部は、ユーザーの操作に基づくコメントを示すコメント情報を生成し、
前記端末側情報生成部は、前記コメント情報を含む前記視聴促進情報を生成してもよい。
【００１５】
これによれば、携帯型端末装置等は、コメント情報を用いることにより、デジタル放送の視聴に基づく情報をより正確に他のユーザーに伝達することができる。
【００１６】
また、前記携帯型端末装置、前記プログラムおよび前記情報記憶媒体において、
前記操作部は、前記デジタル放送の画像における選択操作に基づき、前記操作情報を生成してもよい。
【００１７】
これによれば、携帯型端末装置等は、選択操作に基づいて操作情報を生成することにより、デジタル放送の視聴に基づく情報をより迅速に他のユーザーに伝達することができる。
【００１８】
また、前記携帯型端末装置、前記プログラムおよび前記情報記憶媒体において、
前記端末側通信部は、ユーザーごとのポイントを管理する情報提供装置へ向け前記視聴促進情報を送信するとともに、前記情報提供装置から前記ポイントに応じた特典を得るための特典情報を受信してもよい。
【００１９】
これによれば、携帯型端末装置等は、視聴促進によるポイントに応じて特典が付与されることにより、視聴促進効果をより高めることができる。
【００２０】
また、前記端末側情報生成部は、カテゴリーごとにメールアドレスが登録されたメールアドレスデータに基づき、前記デジタル放送のカテゴリーに該当するメールアドレスを宛先とする電子メールを前記視聴促進情報として生成してもよい。
【００２１】
これによれば、ユーザーは、例えば、自分の友人の趣味嗜好に適合したカテゴリーに登録した宛先に電子メール（視聴促進情報）を送信することができる。これにより、携帯型端末装置等は、デジタル放送のカテゴリーに興味のあるユーザーの携帯型端末装置へ向け電子メールを送信することができるため、より効果的にデジタル放送の視聴を促進することができる。
【発明を実施するための最良の形態】
【００２２】
以下、本発明を、携帯型端末装置に適用した場合を例に採り、図面を参照しつつ説明する。なお、以下に示す実施形態は、特許請求の範囲に記載された発明の内容を何ら限定するものではない。また、以下の実施形態に示す構成のすべてが、特許請求の範囲に記載された発明の解決手段として必須であるとは限らない。
【００２３】
図１は、本実施例におけるシステムの全体図である。
【００２４】
携帯型端末装置の一種である携帯電話１０と、情報提供装置２０と、デジタル放送提供装置３０とがネットワーク４０を介して相互に接続されている。なお、実際には、複数の携帯電話１０−１〜１０−ｎがネットワーク４０に接続されている。
【００２５】
図２は、本実施例における携帯電話１０と情報提供装置２０の機能ブロック図である。
【００２６】
携帯電話１０は、デジタル放送提供装置３０から受信したデジタル情報に基づき、デジタル放送を再生する再生部１４０と、ユーザーによる他のユーザーにデジタル放送の視聴を促す操作に基づいて操作情報等を生成する操作部１５０と、操作情報と、デジタル情報に基づき、他のユーザーにデジタル放送の視聴を促す視聴促進情報等を生成する端末側情報生成部１２０と、デジタル情報を受信するとともに、視聴促進情報を他のユーザーの携帯電話１０へ向け送信する端末側通信部１１０と、メールアドレスデータ１３２等を記憶する記憶部１３０とを含んで構成されている。、
また、情報提供装置２０は、特典情報等を生成する提供側情報生成部２２０と、視聴促進情報等を受信するとともに、特典情報等を携帯電話１０へ向け送信する提供側通信部２１０と、記憶部２３０とを含んで構成されている。
【００２７】
また、記憶部２３０は、携帯電話１０のユーザーごとのポイントを管理するためのポイントデータ２３２等を記憶している。
【００２８】
なお、これらの各部の機能を実装するためのハードウェアとしては、例えば、端末側通信部１１０としては、１セグ放送を受信可能なアンテナ、チューナー、デコーダ、無線通信用の通信モジュール等、提供側通信部２１０としてはルーター等、端末側情報生成部１２０、提供側情報生成部２２０としてはＣＰＵ等、再生部１４０としてはＬＣＤ、スピーカー等、操作部１５０としては、キー、パッド等、記憶部１３０、２３０としては、ＨＤＤ、ＲＡＭ等を採用可能である。
【００２９】
また、携帯電話１０の各部の機能は、携帯電話１０が情報記憶媒体１９０に記憶されたプログラムを読み取ることによって実装することも可能である。
【００３０】
なお、情報記憶媒体１９０としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体１９０からのプログラムの読み取り方式は、接触式でも非接触式でもよい。また、携帯電話１０は、ネットワーク４０を介して上記プログラムをサーバーから読み取って各部の機能を実装してもよい。
【００３１】
次に、これらの各部を用いた処理の流れについて説明する。
【００３２】
図３は、本実施例における処理の流れを示すフローチャートである。
【００３３】
携帯電話１０の端末側通信部１１０は、デジタル放送提供装置３０からデジタル放送の一種である１セグ放送を受信する（ステップＳ１）。
【００３４】
再生部１４０は、１セグ放送に基づき、画像を表示する（ステップＳ２）。
【００３５】
図４は、本実施例における画像３００の一例を示す図である。
【００３６】
画像３００は、デジタルテレビ画像３１０と、視聴促進画像３２０を含む。図４における例では、デジタルテレビ画像３１０は、「笑いの神様」というタイトルのテレビ番組の画像を示す。また、図４における例では、視聴促進画像３２０は、テレビ番組のカテゴリーを示す「カテゴリー：お笑い」という文字列を示す画像と、「この番組を勧める」という選択ボタン画像を含む。
【００３７】
ユーザーは、操作部１５０を用いて選択ボタンを押す操作を行う。端末側情報生成部１２０は、操作部１５０からの操作情報に基づき、選択ボタンが押されたかどうかを判定する（ステップＳ３）。
【００３８】
選択ボタンが押された場合、端末側情報生成部１２０は、視聴促進情報を生成し、端末側通信部１１０は、当該視聴促進情報を他の携帯電話１０へ向け送信する（ステップＳ４）。一方、選択ボタンが押されなかった場合、携帯電話１０は、ステップＳ１〜Ｓ３の処理を繰り返し、実行し、デジタルテレビ画像３１０の表示を続行する。
【００３９】
より具体的には、端末側情報生成部１２０は、メールアドレスデータ１３２に基づき、「お笑い」のカテゴリーに登録されているメールアドレスを判定し、デジタル情報に基づき、「笑いの神様」のテレビ番組を再生するためのリンク情報とタイトル情報を生成する。すなわち、視聴促進情報は、例えば、送信先のメールアドレス、送信元のユーザー名、テレビ番組を再生するためのリンク情報、テレビ番組のタイトル情報を含む。
【００４０】
また、一般的には、メールを送信する場合、メールサーバーが介在する。情報提供装置２０は、メールサーバーとしての機能も有する。このため、例えば、携帯電話１０−１が携帯電話１０−２宛にメールを送信する場合、視聴促進情報は、携帯電話１０−１から情報提供装置２０を経由して携帯電話１０−２に送信される。
【００４１】
視聴促進情報の送信先の携帯電話１０は、視聴促進情報の送信元の携帯電話１０からの視聴促進情報を受信し、視聴用メール画像を表示する（ステップＳ５）。
【００４２】
図５は、本実施例における視聴用メール画像３３０の一例を示す図である。
【００４３】
視聴用メール画像３３０は、例えば、送信元のユーザー名を示す「Ａくんからのメッセージ」という文字列を示す画像、「笑いの神様見てね。」というテレビ番組のタイトルを示す画像、「この番組を試聴する。」というリンク画像を含む。
【００４４】
ユーザーが、リンク画像を選択することにより、画像３００と同様の画像が送信先の携帯電話１０に表示される。
【００４５】
以上のように、本実施例によれば、携帯電話１０は、操作情報とデジタル情報を用いることにより、デジタル放送の視聴に基づく情報を正確かつ迅速に他のユーザーに伝達することができる。これにより、ユーザーは、自分が視聴しているテレビ番組を即座に他のユーザーに伝達することができ、他のユーザーはテレビ番組を見逃す機会を減少させることができる。また、デジタル放送の制作者にとってもデジタル放送の視聴率を向上させることができる。
【００４６】
特に、ユーザーにとっては１クリックのボタン操作で複数のユーザーに同時に情報を伝達することができるため、メールや電話を用いて伝達する場合と比べ、より正確かつ迅速に他のユーザーに情報を伝達することができる。
【００４７】
なお、本発明の適用は上述した実施例に限定されず、種々の変形が可能である。
【００４８】
例えば、視聴促進の貢献度に応じてユーザーにポイントや特典を付与してもよい。
【００４９】
図６は、本実施例における登録画像３４０の一例を示す図である。また、図７は、本実施例における送信相手選択画像３５０の一例を示す図である。
【００５０】
例えば、登録画像３４０は、映画を友人に勧めることによってポイントが貯まることを示唆する画像、映画を友人に勧めるための選択画像、友人をメールアドレスデータ１３２に登録するための選択画像、映画サイトでユーザー登録するための選択画像を含む。
【００５１】
ユーザーは、友人をメールアドレスデータ１３２に登録するための選択画像を選択することにより、例えば、お笑い、サッカー、プロレス等のカテゴリーごとに友人のメールアドレスをメールアドレスデータ１３２に登録することができる。
【００５２】
また、ユーザーが、映画を友人に勧めるための選択画像を選択することにより、図７に示す送信相手選択画像３５０が携帯電話１０の画面に表示される。送信相手選択画像３５０は、送信相手を選択するための画像、送信用の決定ボタン画像を含む。
【００５３】
例えば、図７に示す送信相手選択画像３５０では、メールアドレスデータ１３２における映画のカテゴリーに登録されたＢくん、Ｃくん、Ｄさんが送信相手の一覧として表示され、Ｂくんが選択された状態となっている。
【００５４】
この状態で、ユーザーが操作部１５０を操作して決定ボタンを選択することにより、Ｂくんの携帯電話１０と情報提供装置２０に映画を勧めるための視聴促進情報（例えば、電子メール等）が送信される。
【００５５】
情報提供装置２０の提供側通信部２１０は、携帯電話１０からの視聴促進情報を受信し、提供側情報生成部２２０は、当該視聴促進情報に基づき、送信元の携帯電話１０を特定し、当該携帯電話１０用の（ユーザーごとの）ポイントデータ２３２を更新する。
【００５６】
また、提供側情報生成部２２０は、ポイントデータ２３２における携帯電話１０のポイントが所定値以上になった場合、特典を付与するための特典情報を生成し、提供側通信部２１０は、当該特典情報を携帯電話１０へ向け送信する。
【００５７】
これにより、ユーザーは、視聴促進行為を行い、ポイントを貯めることにより、特典を付与されることができる。これにより、情報提供装置２０は、いわゆるアフィリエイトによる映画等の宣伝効果を高めることができる。
【００５８】
また、このように、ユーザーは、自分の友人の趣味嗜好に合わせて友人のメールアドレスをメールアドレスデータ１３２に登録することができる。
【００５９】
また、視聴促進情報には、例えば、デジタルテレビ放送の画像情報、ユーザーの撮像情報、ユーザーが入力したコメント情報、デジタル放送の番組のホームページへのリンク情報等を付加してもよい。例えば、撮像情報を付加する場合、ユーザーの操作に応じて撮像データを生成する撮像部を携帯電話１０に設けてもよい。
【００６０】
これによれば、携帯電話１０は、デジタル放送の視聴に基づく情報をより正確に他のユーザーに伝達することができる。
【００６１】
また、例えば、提供側情報生成部２２０が、デジタル放送提供装置３０からの放送予定情報（例えば、電子番組情報等）に基づき、携帯電話１０のユーザーが視聴すべきＣＭの放送予定日時を示す告知情報を生成し、提供側通信部２１０が当該告知情報を携帯電話１０へ向け送信してもよい。
【００６２】
そして、提供側情報生成部２２０は、携帯電話１０からの視聴促進情報に基づき、携帯電話１０のユーザーが当該ＣＭを視聴した場合、ポイントデータ２３２における当該ユーザーのポイントを加算してもよい。
【００６３】
これによれば、情報提供装置２０は、ユーザーに対してＣＭを視聴する誘因を与えることができる。
【００６４】
また、情報提供装置２０は必須の構成ではない。例えば、携帯電話１０−１〜１０−ｎが近距離無線通信可能である場合、携帯電話１０−１は、他の携帯電話１０−２〜１０−ｎに情報提供装置２０を介さずに視聴促進情報等を送信することが可能である。
【００６５】
また、携帯型端末装置は、携帯電話１０には限定されず、デジタル放送を受信する機能、視聴促進情報等を送信する機能、画像を表示する機能を有する種々の端末装置（例えば、ＰＤＡ、ノートＰＣ等）を採用可能である。
【００６６】
また、デジタル放送は、デジタルテレビ放送には限定されず、デジタルラジオ放送であってもよい。さらに、携帯電話１０や情報提供装置２０の機能を複数の装置に分散して実装してもよい。
【図面の簡単な説明】
【００６７】
【図１】本実施例におけるシステムの全体図である。
【図２】本実施例における携帯電話と情報提供装置の機能ブロック図である。
【図３】本実施例における処理の流れを示すフローチャートである。
【図４】本実施例における画像の一例を示す図である。
【図５】本実施例における視聴用メール画像の一例を示す図である。
【図６】本実施例における登録画像の一例を示す図である。
【図７】本実施例における送信相手選択画像の一例を示す図である。
【符号の説明】
【００６８】
１０  携帯電話（携帯型端末装置）
２０  情報提供装置
３０  デジタル放送提供装置
１１０  端末側通信部
１２０  端末側情報生成部
１３０  記憶部
１３２  メールアドレスデータ
１４０  再生部
１５０  操作部
１９０  情報記憶媒体
２１０  提供側通信部
２２０  提供側情報生成部
２３０  記憶部
２３２  ポイントデータ
３００  画像
３１０  デジタルテレビ画像
３２０  視聴促進画像
３３０  視聴用メール画像
３４０  登録画像
３５０  送信相手選択画像
【図１】
2007195119.tif 000003
【図２】
2007195119.tif 000004
【図３】
2007195119.tif 000005
【図４】
2007195119.tif 000006
【図５】
2007195119.tif 000007
【図６】
2007195119.tif 000008
【図７】
2007195119.tif 000009